(57)【要約】【課題】排水用凹部内に流れ込んだ排水にて渦巻流を洗浄水流として効果的に生成させ得、排水用凹部内及びごみ籠を効果的に洗浄することができ、且つ高い排水能力を有する排水装置を提供する。【解決手段】シンク10の底部30から下向きに部分的に凹んだ形態の排水用ボウル（排水用凹部）32を構成し、シンク10内の水を排水用ボウル32に流入させ、底部60の排水口62から排水する排水装置において、排水用ボウル32の内部には、ごみ籠42と、このごみ籠42の下側且つ排水口62の上側において羽根車88を設けるとともに、排水用ボウル32内の羽根車88を回転させ、排水用ボウル32の底部60から排水口62に向かう排水に羽根車88の回転の力を加えて渦巻流を生成させる回転装置を設ける。そしてごみ籠42の底部164には、平面視において少なくとも羽根車88の外周端の位置から径方向内方にかけての一部を周辺の他部から部分的に上向きに凹陥させた形の凹曲部168を設ける。【選択図】        図３
2014105558.tif 000002
【特許請求の範囲】
【請求項１】
水受槽の底部から下向きに部分的に凹んだ形態の排水用凹部を構成し、前記水受槽内の水を前記排水用凹部に流入させ、この排水用凹部の底部に形成した排水口から排水する排水装置において、
前記排水用凹部の内部には、ごみ籠と、このごみ籠の下側且つ前記排水口の上側において羽根車を設けるとともに
前記排水用凹部内の前記羽根車を回転させ、前記排水用凹部の底部から前記排水口に向かう排水に前記羽根車の回転の力を加えて渦巻流を生成させる回転装置を設け、
前記ごみ籠の底部には、平面視において少なくとも前記羽根車の外周端の位置から径方向内方にかけての一部を周辺の他部から部分的に上向きに凹陥させた形の凹曲部が設けてあることを特徴とする排水装置。
【請求項２】
請求項１において、前記羽根車は、回転軸周りの外周部に、この回転軸の側から外周端に向かって延び、前記排水に対して回転方向に当る回転羽根を有し、また内周側に、前記排水口と連通した上下方向に貫通の排水の流出開口を有するものとなしてあることを特徴とする排水装置。
【請求項３】
請求項１，２の何れかにおいて、前記羽根車が、平面視で前記排水用凹部の中心から、この排水用凹部の周壁部の側に偏った位置に設けてあり、
前記凹曲部が、前記ごみ籠の中心から、このごみ籠の周壁部の側に偏った隅の位置に且つこの周壁部の上下の中間部にまで達する形状で設けてあることを特徴とする排水装置。
【請求項４】
請求項３において、前記排水用凹部の上端の開口に装着される蓋を有しており、この蓋には、前記水受槽内の水を前記排水用凹部に排水する蓋開口が設けられており、この蓋開口が、前記水受槽からの排水を前記ごみ籠の前記凹曲部よりも中心側に向けて排出するものとなしてあることを特徴とする排水装置。
【請求項５】
請求項２〜４の何れかにおいて、前記羽根車は、周方向に環状を成す板状部を前記外周部に有しており、この板状部の下面に前記回転羽根が設けられているとともに、この板状部の径方向内側に前記流出開口を有していることを特徴とする排水装置。
【請求項６】
請求項５において、前記板状部は外周端に向かって斜め上向きに傾斜した形状をなしていることを特徴とする排水装置。
【発明の詳細な説明】
【技術分野】
【０００１】
この発明はシンクを備えた流し台等に適用して好適な排水装置に関する。
【背景技術】
【０００２】
通常、流し台等の排水装置は、水受槽の底部の一部を下向きに凹ませて排水用凹部を構成し、水受槽内の水を排水用凹部に流入させ、排水用凹部の底部に形成した排水口から排水するようにしている。
例えば流し台においては、水受槽としてのシンクの底部の一部を下向きに凹ませて排水用ボウル（排水用凹部）を構成し、シンク内の水をその排水用ボウルに流入させた上、その底部に形成した排水口から外部に排水するようにしている。
一般に流し台の排水用ボウル内には、生ごみ等を入れるごみ籠が収容され、そこに保持されるようになっている。
【０００３】
この種の排水用凹部の内面やごみ籠には、栄養分を取り込んで増殖した菌類やその死骸またその代謝物等が堆積することによるヌメリが生じがちである。
このようなヌメリその他の油分等の汚れが付着した状態は非衛生的であり、また悪臭の元となる。従って排水用凹部の内面やごみ籠は、ヌメリその他の汚れを抑制し、清浄な状態に保つことが望ましい。
【０００４】
排水用凹部に排水を流入させた上、排水用凹部の排水口から排水する形式の排水装置として、従来種々のものが知られている。
例えば下記特許文献１には「渦巻き排水口」についての発明が示され、そこにおいてヘアキャッチャー（ごみ籠）を収容する排水用凹部の内部且つヘアキャッチャーの下側に羽根車を回転可能に設け、排水用凹部に流れ込んだ排水により羽根車を回転させることで渦巻き水流を発生させ、その渦巻き水流にてヘアキャッチャーの洗浄を行うようになした点が開示されている。
但しこの特許文献１に開示のものは、羽根車を回転させる回転装置を備えておらず、本発明とは異なっている。
【先行技術文献】
【特許文献】
【０００５】
【特許文献１】特開２００７−１９８１３０号公報
【発明の概要】
【発明が解決しようとする課題】
【０００６】
本発明は以上のような事情を背景とし、排水用凹部内に流れ込んだ排水にて渦巻流を洗浄水流として効果的に生成させ得、排水用凹部内及びごみ籠を効果的に洗浄することができ、且つ高い排水能力を有する排水装置を提供することを目的としてなされたものである。
【課題を解決するための手段】
【０００７】
而して請求項１のものは、水受槽の底部から下向きに部分的に凹んだ形態の排水用凹部を構成し、前記水受槽内の水を前記排水用凹部に流入させ、この排水用凹部の底部に形成した排水口から排水する排水装置において、前記排水用凹部の内部には、ごみ籠と、このごみ籠の下側且つ前記排水口の上側において羽根車を設けるとともに、前記排水用凹部内の前記羽根車を回転させ、前記排水用凹部の底部から前記排水口に向かう排水に前記羽根車の回転の力を加えて渦巻流を生成させる回転装置を設け、前記ごみ籠の底部には、平面視において少なくとも前記羽根車の外周端の位置から径方向内方にかけての一部を周辺の他部から部分的に上向きに凹陥させた形の凹曲部が設けてあることを特徴とする。
【０００８】
請求項２のものは、請求項１において、前記羽根車は、回転軸周りの外周部に、この回転軸の側から外周端に向かって延び、前記排水に対して回転方向に当る回転羽根を有し、また内周側に、前記排水口と連通した上下方向に貫通の排水の流出開口を有するものとなしてあることを特徴とする。
【０００９】
請求項３のものは、請求項１，２の何れかにおいて、前記羽根車が、平面視で前記排水用凹部の中心からこの排水用凹部の周壁部の側に偏った位置に設けてあり、前記凹曲部が、前記ごみ籠の中心から、このごみ籠の周壁部の側に偏った隅の位置に且つこの周壁部の上下の中間部にまで達する形状で設けてあることを特徴とする。
【００１０】
請求項４のものは、請求項３において、前記排水用凹部の上端の開口に装着される蓋を有しており、この蓋には、前記水受槽内の水を前記排水用凹部に排水する蓋開口が設けられており、この蓋開口が、前記水受槽からの排水を前記ごみ籠の前記凹曲部よりも中心側に向けて排出するものとなしてあることを特徴とする。
【００１１】
請求項５のものは、請求項２〜４の何れかにおいて、前記羽根車は、周方向に環状を成す板状部を前記外周部に有しており、この板状部の下面に前記回転羽根が設けられているとともに、この板状部の径方向内側に前記流出開口を有していることを特徴とする。
【００１２】
請求項６のものは、請求項５において、前記板状部は外周端に向かって斜め上向きに傾斜した形状をなしていることを特徴とする。
【発明の作用・効果】
【００１３】
本発明の排水装置では、排水用凹部内の羽根車を回転装置が強制的に回転させ、排水用凹部の底部から排水口に向う排水に回転の力を加える。
その羽根車の回転の動きは、排水用凹部の底部から排水口に向う排水の流れに対する妨げとなると同時に、排水に対し遠心力を加えて排水をその遠心力の作用方向に押し返す動きとなり、排水口周りに排水の滞留水を生ぜしめる。
そして排水用凹部の底部から排水口に向う排水の流れ及びその滞留水に回転の力で渦巻流を生成させる。
その渦巻流は洗浄水流となって、排水用凹部の内面やごみ籠に付着する、ヌメリに到る前の菌やその栄養分，油分その他の汚れを除去し洗浄する。
【００１４】
この場合において、排水用凹部内に保持されたごみ籠の籠底部と排水用凹部の底部との距離が短く、それらの間の間隔が狭ければ、籠底面への渦巻流の当りが強くなって籠底面に対する洗浄力が大となる。
ごみ籠の籠底面は特に汚れ易い個所であり、この点で籠底部はできるだけ排水用凹部の底部近くに位置させておくことが望ましい。
【００１５】
その反面、籠底部と排水用凹部の底部との間の間隔が狭ければ、それらによって挟まれた空間内において、求心方向に向って排水口に到る排水の流れが生じ難くなり、排水性能が低下する。
排水性能が低下すると、排水用凹部内の排水が水受槽の側まで溢れてしまう恐れが生ずる。
排水用凹部から溢れた排水には汚れが含まれているため、このようなことは望ましくない。
【００１６】
ここにおいて本発明は、ごみ籠の底部に、平面視において少なくとも羽根車の外周端の位置から径方向内方にかけての一部を、周辺の他部から部分的に上向きに凹陥させた形の凹曲部を設けたもので、この凹曲部は、籠底部と排水用凹部の底部との間、特に羽根車の上面との間に部分的に拡大空間を形成する。
本発明ではこの部分的に拡い空間を排水用の空間として利用することで、排水性能を効果的に高めることができる。
ここでごみ籠の上記の凹曲部は、上向きの凹みの深さが羽根車の外周端の位置で最大となるように設けておくことができる。
【００１７】
本発明では、排水口に向う排水の流れの力で羽根車を回転させるのではなく、回転装置にて羽根車を強制的に回転させる。
この場合において、羽根車を回転させるための回転装置の動力には様々な動力を用い得るが、かかる動力として管路の内部を流れる水の流れの力、例えば水受槽に備えた水栓に給水する給水管から水栓の吐水口までの給水流路の流れの力を動力として用いることができる。
【００１８】
この場合において管路の内部には、流路の流れの力で回転する水車を設けて、水車に水車側磁石を一体回転状態に設けるとともに、水車側磁石に対し隔壁で隔てた位置に羽根車と一体回転する羽根車側磁石を設けて、水車側と羽根車側とを磁気カップリングさせ、水車による駆動力を羽根車に及ぼして回転駆動するようになすことができる。
【００１９】
また上記羽根車は、回転軸線が排水口の内側で上下向きとなり、少なくとも回転羽根の上端が排水用凹部における底面の排水口周りの縁部よりも上側に位置する状態に設けておくことができる。
【００２０】
本発明では、上記羽根車を、その回転軸の側から外周端に向って延び、排水に対して回転方向に当る回転羽根を回転軸周りの外周部に有し、また内周側に、排水口と連通した上下方向に貫通の排水の流出開口を有するものとなしておくことができる（請求項２）。
【００２１】
回転羽根をこのように構成しておくことで、排水口周りで排水の滞留水が多量に生成した場合、その過剰分を籠底部と羽根車との間の空間を通じて求心方向に向けて流し、流出開口を通じ排水口へと流出させることができ、良好な排水性を確保し易い。
【００２２】
本発明では、羽根車を平面視で排水用凹部の中心部に設けておくこともできるが、請求項３に従って、羽根車を平面視で排水用凹部の中心からその周壁部の側に偏った位置に設け、これに対応して上記の凹曲部を、ごみ籠の中心からごみ籠の周壁部の側に偏った隅の位置に、且つ周壁部の上下の中間部にまで達する形状で設けておくことが望ましい。
ごみ籠底部の上向きに凹んだ凹曲部の下面は、排水の渦巻流による洗浄を受けにくい部分となる。
そこでこのような凹曲部を、相対的に汚れ難い、ごみ籠底部の中心から偏った隅の位置に配置しておくことで、汚れを抑制することができる。
【００２３】
また凹曲部を、ごみ籠における籠底部の隅の位置に且つその周壁部の上下の中間部にまで達する形状で設けておくことで、凹曲部の形状を小さくコンパクトにすることができ、渦巻流による洗浄を相対的に受けにくい部分を少なくすることができる。
また上向きに凹んだ形の凹曲部を小さくできることで、ごみ籠における生ごみ等の収容能力の低下を小さく抑えることができる。
【００２４】
更に凹曲部の形状を、ごみ籠の周壁部の上下の中間部にまで到る形状としておくことで、羽根車外周端と凹曲部との間に、横向きの大きな開口を形成でき、羽根車周りの外周側の排水が羽根車外周端を乗り越えて、羽根車の上面且つその中心側に流入し易くなる。
この場合において凹曲部は、ごみ籠の周壁部の位置で上向きの凹みの深さが最大深さとなるように設けておくことができる。
【００２５】
請求項４は、排水用凹部の上端の開口に装着される蓋を備え、その蓋に、水受槽内の水を排水用凹部に排水する蓋開口を設け、そしてその蓋開口を、水受槽からの排水をごみ籠の上記凹曲部よりも中心側に向けて排出するようになしたもので、これによりごみ籠の上記凹曲部、ひいては凹曲部下面の汚れをより効果的に抑制することができる。
【００２６】
本発明において、上記羽根車は、周方向に環状をなす板状部を外周部に有し、その板状部の下面に回転羽根が設けられているとともに、板状部の径方向内側に上記の流出開口を有するものとなしておくことができる（請求項５）。
【００２７】
このようにした場合、回転羽根と回転羽根との間の排水は、環状の板状部に遮られて回転羽根と回転羽根との間を上方に突き抜けることができない。
そのため、羽根車は板状部の下側において回転による遠心力の作用を排水に対し押し返し方向に効果的に作用させることができ、排水を径方向外方へと案内して、排水口周りに排水の滞留水を良好に生ぜしめることができ、ひいては排水による渦巻流を洗浄水流として良好に生成せしめることができる。
一方で板状部の上側においては、排水に対する遠心力の作用は小さく、過剰の滞留水を求心方向に向けて流し易い。
また羽根車周りの過剰の滞留水を、板状部の上面の案内作用で円滑に内周側の流出開口に、更にこれに続いて排水口へと導き排出させることができる。
【００２８】
ここで板状部は、外周端に向って斜め上向きに傾斜した形状となしておくことができる（請求項６）。
このようにすることで、板状部の下面に案内されて遠心方向に向う排水の流れに、上下方向の拡がりを持たせることができ、排水用凹部内の排水全体に対して回転方向の力を加え易い。即ち排水全体を効果的に渦巻流とし易い。
但しこのようにすると、羽根車の外周端と籠底面との間が最も間隔の狭小な部分となり易く（籠底部に凹陥部が設けられていない場合）、従って羽根車周りの外周側の排水が羽根車の外周端を乗り越え難くなる。
【００２９】
しかるに本発明では羽根車の上側で上向きに部分的に凹んだ形の凹曲部が籠底部に設けられているため、詳しくは羽根車の外周端から径方向内方にかけて上向きに凹んだ形状の凹曲部が設けられているため、羽根車よりも外周側の排水が良好にその羽根車の外周端を乗り越えて求心方向に流れ、排水口へと到ることができ、良好な排水性能を確保できる。
【図面の簡単な説明】
【００３０】
【図１】本発明の一実施形態である排水装置を含むシンクと周辺部を示した図である。
【図２】図１の排水装置を周辺部とともに示す断面図である。
【図３】図２の排水ボウル及びその周辺部を拡大して示した断面図である。
【図４】図２の水車ユニット及びその周辺部を拡大して示した断面図である。
【図５】同実施形態における羽根車を示した図である。
【図６】同実施形態におけるごみ籠の全体形状を表す斜視図である。
【図７】同実施形態におけるごみ籠の平面図及び断面図である。
【図８】同実施形態におけるごみ籠の要部を拡大して示した図である。
【図９】同実施形態の作用を説明する断面図である。
【図１０】同実施形態の作用を説明する平面視図である。
【図１１】本発明の他の実施形態の図である。
【発明を実施するための形態】
【００３１】
次に本発明の実施形態を図面に基づいて詳しく説明する。
図１において、１０は流し台（図示省略）に備えられたシンク（水受槽）で、このシンク１０に流し台水栓（以下単に水栓とする）１２が設けられている。ここで水栓１２はシングルレバー式の混合水栓である。
水栓１２は、シンク１０の頂面から起立する水栓本体１４と、水栓本体１４からシンク１０の中央側に向かって延び出した吐水管１６とを有している。吐水管１６の先端には吐水口１８が備えられている。
また水栓本体１４の内部には、水と湯とを混合する混合部が備えられている。
【００３２】
２０はレバーハンドルで、このレバーハンドル２０の操作により吐水口１８からの吐水と止水及び吐水の流量調節、更に吐水の温度調節が行われる。
水栓１２には、水，湯をそれぞれ給水する給水管２２が接続されている（図では一方の給水管２２のみ示され、他方の給水管２２は図示省略されている）。
２４は水栓１２の混合部からの水を吐水口１８に導く給水流路を内側に形成する配管で、この配管２４に後述の水車ユニット２５が接続されている。
【００３３】
図中２４Ａは、混合弁から出た水を水車ユニット２５に流入される入側の配管、２４Ｂは水車ユニット２５から流出した水を吐水口１８側に導く出側の配管で、それぞれの一端部が水車ユニット２５の後述の水車ハウジング２６に接続されている。
【００３４】
図２及び図３において、３２はシンク１０の底部３０から下向きに部分的に凹んだ形態で構成された排水用凹部としての排水用ボウルである。
排水用ボウル３２は、上端に径方向外方に環状に張り出したフランジ部３８を有しており、そのフランジ部３８において、シール部材１５２，１５４を介し、一対のボウル取付部材１５６，１５８にてシンク１０の底部３０に取り付けられている。
【００３５】
詳しくは、ボウル取付部材１５６と１５８とには挟持部１６０と１６２とが設けられており、ボウル取付部材１５８の外周面の雄ねじと、ボウル取付部材１５６の内周面の雌ねじとがねじ結合されることで、排水用ボウル３２のフランジ部３８がシンク１０側のフランジ部１５０とともに、一対の挟持部１６０，１６２にて上下両側から挟持される状態に、排水用ボウル３２が、シンク１０側のフランジ部１５０に固定され、取り付けられている。
【００３６】
この排水用ボウル３２の内部には、生ごみ等のごみを収容するごみ籠４２が保持されている。
またこのごみ籠４２の下側において、羽根車８８が回転可能に設けられている。
これらごみ籠４２，羽根車８８については後に詳述する。
【００３７】
排水用ボウル３２の下側には、排水トラップ３４が設けられている。
排水トラップ３４は、外筒３６と、その内側に上側から下向きに挿入された内筒４６とを有しており、それら外筒３６と内筒４６とによって下部に封水４８を保持している。
排水トラップ３４は、封水４８を保持することによって排水管５０の側からシンク１０内への臭気の逆流を防止する。
【００３８】
外筒３６には、その上部に排水口（第２の排水口）５８が横向きに設けられており、この排水口５８から円筒形状の接続管５２が突き出している。
接続管５２の内部には排水管５０の端部が内嵌状態に嵌合されており、それら接続管５２と排水管５０とが、それぞれに形成されたフランジ部５４を重ね合せ状態で挟持するクリップ５６にて抜止状態に接続されている。
ここで内筒４６は、上端と下端とが開口形状とされており、シンク１０からの排水は、内筒４６の上端の開口から内筒４６内に流入して流下し、そしてその下端の開口から、内筒４６と外筒３６との間に流出して、外筒３６の上記横向きの排水口５８から排水管５０へと流出し、外部に排出される。
【００３９】
図３に示しているように、排水用ボウル３２は、周壁部５９と底部６０とを有しており、その底部６０の、平面視で中心から周壁部５９の側に偏った位置に開口が形成されており、その開口の内側に上記の内筒４６の上端部が配置されている。
この内筒４６の上端の開口は、排水用ボウル３２における排水口６２となるもので、排水用ボウル３２内の排水はこの排水口６２を通じて下方に排出される。
排水用ボウル３２の下端の開口の縁部には、径方向内向きの環状のフランジ部６４が設けられており、そのフランジ部６４に対して、外筒３６の上端部と内筒４６の上端部とが取り付けられている。
【００４０】
６６，６８は、内筒４６の上端部及び外筒３６の上端部を排水用ボウル３２のフランジ部６４に取り付けるためのトラップ取付部材で、何れも円形のリング状をなしている。
これらトラップ取付部材６６，６８はフランジ部７０，７２を有しており、それらフランジ部７０，７２にて排水用ボウル３２のフランジ部６４を上下両側から挟み込む状態に、トラップ取付部材６６の外周面の雄ねじと、トラップ取付部材６８の内周面の雌ねじとのねじ結合で、排水用ボウル３２のフランジ部６４に固定されている。
【００４１】
そしてトラップ取付部材６６に対して、内筒４６の上端部が内嵌状態に嵌合された上で、内筒４６の上端の掛止部７４が、トラップ取付部材６６の内面の段付部に掛止されることで、内筒４６がトラップ取付部材６６，６８を介して排水用ボウル３２のフランジ部６４に取り付けられ、保持されている。
尚、内筒４６はトラップ取付部材６６に対して、図中上側から下向きに差し込まれることで、トラップ取付部材６６に取り付けられ、保持される。
【００４２】
一方外筒３６は、その上端部がトラップ取付部材６８の円筒状の嵌合部７６に対して内嵌状態に嵌合された上、それぞれに設けられたフランジ部７８が互いに重ね合せ状態でクリップ８０により挟持されることで、トラップ取付部材６８に取り付けられ、保持されている。
【００４３】
尚、内筒４６の上端部からは径方向内方にアーム８２が延び出しており、その内端部において、後述の回転軸８６を回転可能に嵌入させてこれを径方向に支持する円筒状の支持部８４を構成している。
【００４４】
ここで回転軸８６は、排水口６２の内側の中心位置に且つ上下向きに配置されており、排水用ボウル３２の内部に設けられた上記の羽根車８８が、その上端部に一体回転状態に連結されている。
【００４５】
図２に示しているように、羽根車８８の下方には、これを回転させるための回転装置９０が設けられている。
回転装置９０は、断面円形の回転軸８６と、図４に示しているようにその回転軸８６の下端に取り付けられた磁石９２と、排水トラップ３４における外筒３６の下側に配置された、上記の水車ユニット２５とを含んでいる。
回転軸８６の下端に取り付けられた磁石９２は、上記の羽根車８８と一体に回転する羽根車側磁石となるもので、ドーナツ環状且つ円形の盤状をなしており、取付部材９４にて回転軸８６の下端に取り付けられている。
【００４６】
図４に示しているように、上記外筒３６は下端が底部９６にて閉鎖されている。
この底部９６には、その中心部に支持軸９８が上向きに設けられており、この支持軸９８にて回転軸８６の下端が上記の取付部材９４を介し回転可能に支持されている。
【００４７】
外筒３６の下側に配置された水車ユニット２５は、水車ハウジング２６を有している。
水車ハウジング２６は、外筒３６の下端部に下向きに設けられた嵌合部１００に対して、その上端部が内嵌状態に嵌合されており、その嵌合状態で水車ハウジング２６が取付部材１０２にて外筒３６に取り付けられている。
【００４８】
水車ハウジング２６の内部には、水車１１０が回転可能に収容されている。
水車１１０は外周部に羽根１１２を有している。
また本体部１１４には、ドーナツ環状且つ円形の盤状をなす磁石１１６が設けられている。
磁石１１６は水車側磁石となるもので、この磁石１１６に対して上記の羽根車側磁石となる磁石９２が、給水流路の一部を形成する水車ハウジング２６及び上記の外筒３６の底部９６を隔壁として、その上側位置に配置され、磁石１１６に対して上下に対向せしめられている。
【００４９】
即ちこれら磁石１１６，９２によって水車１１０と回転軸８６、即ち上記の羽根車８８とが磁気カップリングされている。そしてその磁気カップリングにより、水車１１０の回転の力が回転軸８６を経て排水用ボウル３２内の上記の羽根車８８に伝えられ、羽根車８８が水車１１０と一体に排水用ボウル３２内で回転せしめられる。
つまり水栓１２の混合部から吐水口１８までの給水流路の流れの力を駆動力として、羽根車８８が排水用ボウル３２内で強制的に回転駆動せしめられる。
ここで水車１１０は、その中心部に円筒部１１８と軸部１２０とを有しており、それら円筒部１１８，軸部１２０において、水車ハウジング２６の対応する軸部１２２，円筒部１２４にて回転可能に支持されている。
【００５０】
水車ハウジング２６には、流入口１２６と流出口１２８とが設けられており、図１に示した入側配管２４Ａからの水は、この流入口１２６から水車ハウジング２６内に流入して、その流れを水車１１０の羽根１１２に対して水車１１０を一定方向に回転させる向きに当て、これを回転させる。
そして水車１１０を通過した水が流出口１２８から流出する。
流出した水は、出側配管２４Ｂにて水栓１２の吐水口１８へと導かれ、そして吐水口１８からシンク１０内に吐水される。即ちシンク１０内に水栓１２からの水として給水される。
【００５１】
排水用ボウル３２の内部に配置された上記の羽根車８８は、図５に示しているように中心部にハブ１３０を、外周部に円形のドーナツ環状の板状部１３２を有しており、それらの間に上記の排水口６２に連通した、上下方向に貫通の排水の流出開口１３４を形成している。
ここで中心部のハブ１３０と外周部の板状部１３２とは、複数のアーム１３６にて繋がれている。
【００５２】
外周部の環状の板状部１３２は、図５（Ｂ）に示しているように中心側から外周側に向って上向きに傾斜した形状をなしている。そしてその板状部１３２の下面から垂下する状態に、側面形状及び正面形状が三角形状をなす板状の回転羽根１３８が、周方向に沿って一定間隔ごとに複数設けられている。
板状部１３２は水平でないため、上面に水が溜りにくく、汚れの付着を抑制できる。
また回転羽根１３８は、背中合せとなる一対の側面が付根側に向って互いに離れる方向に湾曲した形状をしていて、正面形状がなだらかな三角形状であり、板状部１３２との間に極端な（交差角の小さな）入り隅形状を形成しないため、汚れが取れ易く清掃性に優れている。
ここで回転羽根１３８は、羽根車８８の中心側から放射方向に、即ち回転軸線を中心とする、回転軸線周りの円に対する法線方向に直線状に延びる形状とされている。
尚、板状部１３２の内周側の付根部は、全周に亘り板状部１３２の他部よりも厚肉に構成されており、その厚肉部１４０が、図５（Ｃ）に示しているようにアーム１３６とともに下向きに突出せしめられている。
【００５３】
上記ハブ１３０は、これら厚肉部１４０よりも更に下向きに突出せしめられている。
このハブ１３０には、図５（Ｂ）に示しているように下向きに開口した嵌込孔１４２が設けられており、そこに上記の回転軸８６の上端部が所定の嵌合クリアランスで一体回転状態に嵌合され、羽根車８８が回転軸８６とともに回転せしめられるようになっている（嵌込孔１４２の奥部及び回転軸８６の対応する部分が断面４角形状となっている）。
【００５４】
図２及び図３に示しているように、羽根車８８は排水用ボウル３２における排水口６２の真上位置に配置されており、そして羽根車８８に備えられた複数の回転羽根１３８のそれぞれが、排水用ボウル３２における底部６０の上面（底面）、詳しくは底面における排水口６２周りの縁部６０ａよりも全体的に上側に位置せしめられている。
【００５５】
上記排水用ボウル３２は、平面視形状が略４角形状をなしている。
図３に示しているように、排水用ボウル３２における底部６０の排水口６２及び羽根車８８は、底部６０の中心から周壁部５９の側に偏った位置に設けられている。
そして底部６０はこの排水口６２に向けて斜め下方に傾斜している。
この排水用ボウル３２の内部に保持された上記のごみ籠４２は、上端の開口部に沿って環状の枠部４３を有している。
この枠部４３には、ごみ籠４２を脱着するための板状の把手１６３が設けられている。
【００５６】
ごみ籠４２は、枠部４３を除いた全体が、多数の貫通孔から成る通水孔を分散形成したパンチングメタルから成っている。
ごみ籠４２は、底部１６４と、その周縁から立ち上る４周の周壁部１６６とを有しており、図６及び図７に示しているように、全体の平面視形状が排水用ボウル３２の形状に対応した略４角形状をなしている。
【００５７】
但し排水用ボウル３２の底部６０が、上記の排水口６２に向けて斜め下向きに傾斜した形状をなしているのに対し、このごみ籠４２の底部１６４は、断面湾曲形状をなす外周部の湾曲部１６４ｂ及び後述の凹曲部１６８を除いた全体が、略水平方向に平坦形状をなす平坦部１６４ａとされている。
【００５８】
このごみ籠４２の底部１６４には、その一部を周辺の他部から部分的に上向きに凹陥させた形の凹曲部１６８が設けられている。
この例において、凹曲部１６８は、底部１６４の中心から周壁部１６６側に偏った隅の位置に設けられており、その形状が、平面視で羽根車８８の中心から、周壁部１６６の上下の中間部にまで達する形状とされている。
【００５９】
図３に示しているようにこの凹曲部１６８は、羽根車８８に対して、平面視でその外周端よりも僅かに径方向外方の位置から羽根車８８の中心位置に到っており、ごみ籠４２の周壁部１６６の位置で上向きの深さが最大深さとなって、羽根車８８との間に水平方向横向き（図中右向き）の大きな開口を形成している。
【００６０】
この例において、凹曲部１６８は、図７（Ａ）に示しているように平面視形状が略扇形状、（Ｂ）に示しているように縦断面形状が傾斜形状（但し上端部と下端部とは丸みを有する湾曲形状）、横断面形状が図８に示すように湾曲形状（ここでは円弧形状）をなしており、平面視において下方に移行するに連れ幅広となっている。
【００６１】
この実施形態では、使用者が水栓１２のレバーハンドル２０を操作して吐水口１８から吐水し水作業を行うと、吐水口１８から吐水された水、即ち給水された水はシンク１０にて受けられて、シンク１０の底部３０から排水用ボウル３２の内部へと排水され、排水用ボウル３２の底部６０へと到る。
【００６２】
底部６０に到った排水は、その底部６０に沿って排水口６２に向う流れとなり、その流れが排水口６２周りの全周から排水口６２に向って求心方向に流れ込もうとする（その際に排水の流れは排水口６２周りの全周から排水口６２に向う求心方向の流れとなるために、その流れは羽根車８８を特定の一方向に回転させる力としては働かない）。
【００６３】
このとき排水用ボウル３２内の羽根車８８は、配管２４内の給水流路の流れの力を駆動力として、既に回転装置９０により回転駆動されている。
そのため排水用ボウル３２内の排水が底部６０に沿って排水口６２に流れ込もうとしたときに、強制駆動で回転する羽根車８８の回転羽根１３８が、その排水の流れに対して回転方向に当り、排水口６２に向う排水の流れの抵抗となって、排水口６２への流入を妨げ、抑制する。
【００６４】
羽根車８８は、回転羽根１３８によってその流れの抵抗体となるのみならず、自身の回転による遠心力を排水の流れに作用させ、図９に示しているように排水を排水口６２から遠ざかる方向に押し返し、その作用によって排水口６２周りに排水を滞留させる。
のみならず羽根車８８は、回転羽根１３８の回転の力を、底部６０から排水口６２へと向う排水の流れ及び羽根車８８の外周側の滞留水に加えてそれらを渦巻回転させる。即ち渦巻流を洗浄水流として生成せしめる。
【００６５】
このとき、本実施形態では羽根車８８の外周部に、周方向に環状をなす板状部１３２を備えて、その板状部１３２の下面に回転羽根１３８を設けているため、回転羽根１３８と回転羽根１３８との間の排水は、環状の板状部１３２に遮られて回転羽根１３８と回転羽根１３８との間を上方に突き抜けることができず、板状部１３２の下側において、排水に対し羽根車８８の回転による遠心力が効果的に作用せしめられ、排水口６２周りに排水の滞留水が良好に生ぜしめられるとともに、排水による渦巻流が洗浄水流として良好に生成せしめられる。
【００６６】
生成した渦巻流は排水用ボウル３２の内面に勢い良く当って、その内面に付着するヌメリに到る前の菌と、その栄養分や油分その他の汚れを除去し、排水用ボウル３２の内面を洗浄する。
併せて発生した渦巻流はごみ籠４２の外面、主としてその下面に当って、そこに付着した汚れを除去し、洗浄作用する。
尚羽根車８８、即ち回転羽根１３８による排水の押し返しの量が過剰になると、押し返された排水が排水用ボウル３２からシンク１０の底部３０側に溢れてしまう恐れがある。
【００６７】
そこで本実施形態では、図９及び図１０に示しているように、滞留水が多量となったときに、排水の一部を、遠心力がそれほど強く作用していない羽根車８８の上面、詳しくは羽根車８８の上面とごみ籠４２との間の空間を通じて流出開口１３４に向う求心方向の流れとし、これを排水口６２を通じて排出せしめる。
このとき羽根車８８の上面に乗り上げた滞留水は、外周部の板状部１３２の上面の案内作用で流出開口１３４に向けて円滑に導かれる。
【００６８】
ところで本実施形態では、ごみ籠４２の底部１６４の位置が排水用ボウル３２の底部６０に近いほど、ごみ籠４２の底部１６４の下面に対する渦巻流の当りが強くなり、汚れの生じ易いごみ籠４２の底部１６４下面に対する洗浄能力が大となる。
しかしながら上記の凹曲部１６８が設けられていない状態で、ごみ籠４２の底部１６４を排水用ボウル３２の底部６０に可及的に近く位置させると、排水用ボウル３２内の排水の排水性能に悪影響が生じる。
【００６９】
ごみ籠４２の底部１６４を排水用ボウル３２の底部６０に近づけるほど、ごみ籠４２の底部１６４と羽根車８８との間、より詳しくはその外周端との間の間隔が小となり、羽根車８８より外周側の滞留水が羽根車８８の外周端を乗り越えてその内側へと流入し難くなる。即ち羽根車８８の上方空間を通じて流出開口１３４に向う求心方向の流れが生じ難くなり、排水性能が損なわれてしまう。
【００７０】
一方でごみ籠４２の底部１６４を、排水用ボウル３２の底部６０から図中上向きに大きく離して、羽根車８８とごみ籠４２の底部１６４との間の間隔を大きくすると、排水性能は高まるものの、このときにはごみ籠４２の底部１６４下面に対する洗浄能力が低下する。
【００７１】
ここにおいてこの実施形態では、ごみ籠４２の底部１６４に、部分的に上向きに凹陥した形の凹曲部１６８を設けたもので、図３及び図９から明らかなように、このような凹曲部１６８を設けておくことで、底部１６４における凹曲部１６８以外の部分を、可及的に排水用ボウル３２の底部６０に近く位置させながら、羽根車８８周りの滞留水を良好に排水用ボウル３２の周壁部５９の側から羽根車８８の外周端を乗り越えてその内側へと流入させ、続いて羽根車８８の流出開口１３４を通じ排水口６２から排出させることができる。
【００７２】
即ちこの実施形態によれば、ごみ籠４２の底部１６４下面に対する高い洗浄能力と、排水用ボウル３２内の滞留水の高い排水性能の両方とを確保することができる（凹曲部１６８の横向きの大きな開口及び凹曲部１６８下側の拡大空間を通じて）。
【００７３】
本実施形態では、排水口６２及び羽根車８８を排水用ボウル３２の中心から偏心した位置に配置し、そして凹曲部１６８をごみ籠４２の中心から周壁部１６６側に偏った隅の位置に配置している点を１つの特徴としている。
【００７４】
このようになした場合、羽根車８８と図３及び図９中右側の周壁部５９との間の間隔が、羽根車８８と同図中紙面と直交する方向の前，後の周壁部及び左側の周壁部との間の間隔よりも小となるため、図１０に示すように渦巻流をなす滞留水の水位が、図９に示すように右側の周壁部５９側で最も高くなり、しかも凹曲部１６８はその図中右側の周壁部５９に向けて横向きに大きく開口しているため、水位の高まった滞留水が凹曲部１６８と羽根車８８との間の拡大した空間を通じ、容易に羽根車８８の外周端を乗り越えてその内側へと流れ込むことができ、排水性能が効果的に高まる。
【００７５】
更に凹曲部１６８の下面は、勢いの強い渦巻流に接し難く、従って洗浄作用を強く受けにくい面となるが、本実施形態ではこのような凹曲部１６８を、ごみ籠４２の周壁部１６６に偏った隅の位置に配置してあるため、凹曲部１６８の下面の汚れが他部に対して特に汚れ易くなるのを防ぐことができる（ごみ籠４２への生ごみ等のごみは通常その中央部に投入されるため、ごみ籠４２の隅の位置にある凹曲部１６８への汚れの付着は他部に比べて少ない）。
【００７６】
特に図１１に示すように、排水用ボウル３２の上端に脱着可能な蓋１７０が装着され、その蓋１７０に、シンク１０内の水を小さな生ごみ等とともに排水用ボウル３２の中央部に向けて、即ち凹曲部１６８よりも中心側に向けて排出する蓋開口１７２が設けられている場合、凹曲部１６８への汚れの付着は一層効果的に低減する。
また凹曲部１６８をごみ籠４２の隅の位置に設けることによって、凹曲部１６８の形状を小さくコンパクトな形状とすることができ、そのことによってごみ籠４２におけるごみの収容能力を高く維持できる。
【００７７】
以上本発明の実施形態を詳述したが、これはあくまで一例示である。
例えば上記実施形態では排水口６２，羽根車８８を排水用ボウル３２の中心から偏った位置に配置するとともに、ごみ籠４２の凹曲部１６８を中心から偏った隅の位置に設けているが、排水口６２や羽根車８８を排水用ボウル３２の中心部に配置し、そしてこれに対応してごみ籠４２の凹曲部１６８を、底部１６４の中心部に設けるといったことも可能である（但しこの場合には羽根車８８の外周端を跨ぐように凹曲部１６８を形成する。この場合凹曲部１６８の形状は大となる）。
また上記実施形態では、排水用ボウル３２がシンク１０の底部３０とは別体に構成されているが、本発明ではかかる排水用ボウル３２をシンク１０の底部３０に一体に構成することも可能である。
更に本発明はシンク以外の水受槽に設けられる排水用凹部に適用することも可能であるし、羽根車８８を回転させるための回転装置を上例以外の他の様々な構造，形態で構成することも可能である。その際に回転装置の動力として上例以外の他の様々な動力を用いることも可能である。
その他本発明はその趣旨を逸脱しない範囲において種々変更を加えた形態で構成可能である。
【符号の説明】
【００７８】
１０  シンク
３０，６０，１６４  底部
３２  排水用ボウル
４２  ごみ籠
５９，１６６  周壁部
６２  排水口
８６  回転軸
８８  羽根車
９０  回転装置
１３２  板状部
１３４  流出開口
１３８  回転羽根
１６８  凹曲部
１７０  蓋
１７２  蓋開口
【図１】
2014105558.tif 000003
【図２】
2014105558.tif 000004
【図３】
2014105558.tif 000005
【図４】
2014105558.tif 000006
【図５】
2014105558.tif 000007
【図６】
2014105558.tif 000008
【図７】
2014105558.tif 000009
【図８】
2014105558.tif 000010
【図９】
2014105558.tif 000011
【図１０】
2014105558.tif 000012
【図１１】
2014105558.tif 000013